(57)【特許請求の範囲】
【請求項１】
アニール又は延伸処理したポリカーボネートからなる外面側の保護層（２）と、処理層（５）と未処理層（６）とを有する内面側の被研磨層（４）とが、偏光膜（３）を挟んで重合状に積層されてなり、前記処理層（５）は、アニール又は延伸処理したポリカーボネートからなり、前記未処理層（６）は、射出成形したままでアニール又は延伸処理をしていないポリカーボネートからなり、当該未処理層（６）が前記処理層（５）の内面側に配置されたポリカーボネート製眼鏡用偏光レンズであって、
前記被研磨層（４）は前記保護層（２）よりも分厚く形成され、レンズが視力矯正可能になるように、前記内面側の未処理層（６）の内面が研磨され、
レンズ内面から偏光膜（３）に至るまでの厚みが、レンズ外面から偏光膜（３）に至るまでの厚みよりも、全域に亘って分厚い状態を維持する程度に、前記被研磨層（４）の未処理層（６）の研磨がなされていることを特徴とするポリカーボネート製眼鏡用偏光レンズ。
【発明の詳細な説明】
【０００１】
【産業上の利用分野】
本発明は、ポリカーボネート製眼鏡用偏光レンズに関するものである。
【０００２】
【従来の技術】
従来の偏光レンズや偏光シートは、図９に示すように、基材３１，３２間に偏光膜３３を介在して張り合わせたものであるが、この種の偏光レンズや偏光シートでは、基材３１，３２をガラスで構成した場合該基材３１，３２をアニールし、基材３１，３２をプラスチックで構成した場合該基材３１，３２を延伸して、内部応力を緩和させるようにしたものが一般的である。
また、熱硬化樹脂であるＣＲ−３９製の偏光レンズでは、図１０に示すように、トリアセテートを基材３１，３２とした偏光シートを熱曲げ加工した後、キャスティングのガラス型に入れて長時間かけて硬化一体化させ、ＣＲ−３９をアニールさせているものが一般に使用されている。
【０００３】
なお、基材３１，３２がポリカーボネートの場合は、図９に示されたものが現在市販されている。
【０００４】
【発明が解決しようとする課題】
ところが、現在市販されているポリカーボネートの偏光レンズ、偏光シートは、厚さＴが１．５ｍｍが最大で、ポリカーボネートは耐衝撃性に優れているものの、現在の激しい動きが求められるスポーツ、特にアウトドアスポーツにおいては市販されている厚さ以上の偏光ポリカーボネートレンズが必要とされている。
更に、眼鏡をかけている人がアウトドアスポーツを行う場合、視力矯正用のポリカーボネート偏光レンズがなく、現在かけている眼鏡に前掛等を付けて製造する場合が多く、煩わしくなる等の問題もあった。
【０００５】
本発明は、かかる従来の課題に鑑み、耐衝撃性に優れると共に、別の眼鏡を併用することなく視力矯正することが可能な眼鏡用偏光レンズを製造することができるポリカーボネート製偏向板を利用した複合成形物を提供することを目的とする。
【０００６】
【課題を解決するための手段】
この技術的課題を解決する本発明の技術手段は、アニール又は延伸処理したポリカーボネートからなる外面側の保護層２と、処理層５と未処理層６とを有する内面側の被研磨層４とが、偏光膜３を挟んで重合状に積層されてなり、前記処理層５は、アニール又は延伸処理したポリカーボネートからなり、前記未処理層６は、射出成形したままでアニール又は延伸処理をしていないポリカーボネートからなり、当該未処理層６が前記処理層５の内面側に配置されたポリカーボネート製眼鏡用偏光レンズであって、
前記被研磨層４は前記保護層２よりも分厚く形成され、レンズが視力矯正可能になるように、前記内面側の未処理層６の内面が研磨され、
レンズ内面から偏光膜３に至るまでの厚みが、レンズ外面から偏光膜３に至るまでの厚みよりも、全域に亘って分厚い状態を維持する程度に、前記被研磨層４の未処理層６の研磨がなされている点にある。
【０００７】
【作用】
被研磨層４を内面側から研磨することができて、視力に応じた研磨が広範囲に可能になる。また、被研磨層４は未処理層６を含んでいるため、延伸またはアニール未処理によりコスト安になし得るし、また被研磨層４は偏光膜３の内面側に位置させることにより、被研磨層４が未処理層６を含んでいても不都合を生じることもない。
【０００８】
【実施例】
以下、本発明の実施例を図面に基づいて説明する。
図１において、１はポリカーボネート製偏向板を利用した複合成形物で、保護層２と偏光膜３と被研磨層４とを積層状に備える。
保護層２はアニール又は延伸処理したポリカーボネートからなる。被研磨層４は処理層５と未処理層６とを有し、処理層５は、保護層２と同様にアニール又は延伸処理したポリカーボネートからなる。未処理層６は、射出成形したままでアニール又は延伸処理をしていないポリカーボネートからなる。未処理層６は、処理層５の内面側に接着剤で貼り付けられている。被研磨層４の厚さは保護層２の厚さに比べて未処理層６の厚み分だけ大に形成されている。保護層２と処理層５とは同一厚みで、両者を合わせて厚みが１．５ｍｍ程度である。
【０００９】
偏光膜３は、保護層２と被研磨層４との間に介在されて保護層２及び被研磨層４に夫々接着され、これにより保護層２と被研磨層４とは偏光膜３を挟んで重合状に積層されている。
次に、複合成形物１の保護層２をアニール又は延伸処理したポリカーボネートにて構成し、また被研磨層４に未処理層６を設けると共に被研磨層４の厚みを保護層２の厚みよりも大に形成した理由を説明する。
図５は物体の内部応力を可視化して観測する場合に利用される方法の略図で、光源９と被検物１０の間に、偏光性をもった偏光物体（例えば偏光シート）１１を置き、さらに被検物１０と観測者の間に、偏光性をもった偏光物体１２を置き、この偏光物体１２の偏光軸が前記偏光物体１１の偏光軸と直角になるように配置し、この偏光物体１２から被検物１０側を見ると、被検物１０の内部応力が見える。これは被検物１０の光弾性試験に使われる方法である。
【００１０】
そして、図６に示すように、歪みのある基材１５を偏光シート１６の前方に置き、偏光シート１６を通して基材１５を見ると、青空や均一な曇り空或いは金属面以外の反射光線等からの偏光成分を含んだ光によって、上記被検物１０の光弾性試験の場合と同様の効果により、内部応力が可視化され視界の妨げになるだけではなく、偏光レンズの所謂色抜け（レンズの色が部分によって色むらを生じる）を生じてしまう。
そこで、この点に着目し上記複合成形物１を完成したもので、偏光膜３の一方側（前方側）の保護層２をアニール又は延伸処理したポリカーボネートにて構成して、内部応力が可視化され視界の妨げにならないようにすると共に、色むらが生じないようにし、また偏光膜３の一方側（後方側）の被研磨層４の厚みを保護層２の厚みよりも大に形成して、充分な厚みを研磨可能にし、これにより次のような作用効果を持たせたのである。
【００１１】
(1)レンズの厚みが厚く作れるため、耐衝撃性に優れる
(2)視力に応じた研磨が広範囲に可能
(3)視界良好
(4)内側は延伸またはアニール未処理によりコスト安であり、また同処理に伴う問題を生じない
上記複合成形物１から眼鏡用偏光レンズを製造するには、複合成形物１の被研磨層４の内面側を図１に鎖線で示す如く研磨すればよく、図２に示す如く眼鏡用偏光レンズ７を簡単に製造することができる。
【００１２】
図３は他の実施例を示し、被研磨層４の処理層５の内側に、内部応力緩和の処理がされていないポリカーボネートの未処理層６を射出成形により一体化させることにより、処理層５の内側に未処理層６を形成したものである。その他の点は前記実施例と同様の構成である。そして、この場合も複合成形物１の被研磨層４の内面側を図３に鎖線で示す如く研磨すればよく、図４に示す如く眼鏡用偏光レンズ７を簡単に製造することができる。
図７は他の実施例を示し、前記実施例の被研磨層４の処理層５を省略し、アニール又は延伸処理したポリカーボネートからなる保護層２と、アニール又は延伸処理をしていないポリカーボネートからなる未処理層６とを偏光膜３を挟んで重合状に積層している。
【００１３】
図８は図７の実施例の変形例を示し、未処理層６を保護層２よりも厚く形成している。この場合、複合成形物１から眼鏡用偏光レンズを製造するには、鎖線で示す如く複合成形物１の内面側を研磨すればよく、眼鏡用偏光レンズを簡単に製造することができる。
【００１４】
【発明の効果】
本発明によれば、アニール又は延伸処理したポリカーボネートからなる保護層２と、アニール又は延伸処理をしていないポリカーボネートからなる未処理層６とを備え、保護層２と未処理層６との間に偏光膜３が介在されているので、未処理層６を保護層２よりも厚く形成することが可能になり、未処理層６を保護層２よりも厚く形成することにより、強度を増加させて、耐衝撃性に優れたものとし、安全性を高めることが可能になるし、また別の眼鏡を併用することなく視力矯正することが可能な眼鏡用偏光レンズを簡単に製造することもできる。
【００１５】
また、本発明によれば、アニール又は延伸処理したポリカーボネートからなる保護層２と、射出成形したままでアニール又は延伸処理をしていないポリカーボネートからなる未処理層６を含む被研磨層４とが、偏光膜３を挟んで重合状に積層され、前記被研磨層４の厚さが保護層２の厚さよりも大に形成されているので、視力に応じた研磨が広範囲に可能であって、視界も良好になる。また内側は延伸またはアニール未処理によりコスト安になし得るし、また同処理に伴う問題を生じない。従って、耐衝撃性に優れると共に、別の眼鏡を併用することなく視力矯正することが可能な眼鏡用偏光レンズを簡単に製造することもできる。
【図面の簡単な説明】
【図１】  本発明の一実施例を示す断面図である。
【図２】  複合成形物により製造した眼鏡用偏光レンズの断面図である。
【図３】  本発明の他の実施例を示す断面図である。
【図４】  複合成形物により製造した眼鏡用偏光レンズの断面図である。
【図５】  作用説明用の構成図である。
【図６】  作用説明用の構成図である。
【図７】  本発明の他の実施例を示す断面図である。
【図８】  本発明の他の実施例を示す断面図である。
【図９】  従来例を示す断面図である。
【図１０】  他の従来例を示す断面図である。
【符号の説明】
１    複合成形物
２    保護層
３    偏光膜
４    被研磨層
５    処理層
６    未処理層
【図１】
0004264215.tif 000002
【図２】
0004264215.tif 000003
【図３】
0004264215.tif 000004
【図４】
0004264215.tif 000005
【図５】
0004264215.tif 000006
【図６】
0004264215.tif 000007
【図７】
0004264215.tif 000008
【図８】
0004264215.tif 000009
【図９】
0004264215.tif 000010
【図１０】
0004264215.tif 000011